(57)【特許請求の範囲】
【請求項１】
顔面に着用されて、吸気口と呼気口とを有するマスク本体で、ゴムまたは合成樹脂からなる本体と、
上記吸気口に連結されるように上記マスク本体の吸気口の外側に設置され、内部には防塵防毒フィルターが設置される防塵防毒フィルター筒と、
上記防塵防毒フィルター筒に連結されるように上記本体または防塵防毒フィルター筒に分離可能に締結され、防霧フィルターが内部に設置されて、吸気口を有する防霧フィルター筒と、を含み、
上記防霧フィルター筒の吸気口が上記防霧フィルター筒の底面に設置され、
上記顔面側から上記防霧フィルター筒の吸気口の方へ空気をガイドするように上記防霧フィルター筒の吸気口の入口に吸入ガイド手段が設置され、
上記防塵防毒フィルター筒と上記防霧フィルター筒との間に上記防塵防毒フィルターと上記防霧フィルターとの接触を遮断するための係止突起が設置されることを特徴とする農薬防霧マスク。
【請求項２】
上記係止突起は上記防塵防毒フィルター筒及び上記防霧フィルター筒の中の少なくとも一つに設置されることを特徴とする請求項１に記載の農薬防霧マスク。
【請求項３】
上記係止突起は上記防塵防毒フィルター筒の内部に設置される防塵防毒フィルター係止突起と上記防霧フィルター筒の内部に設置される防霧フィルター係止突起とを含むことを特徴とする請求項１に記載の農薬防霧マスク。
【請求項４】
上記防霧フィルター筒が上記防塵防毒フィルター筒を外側で囲むように締結され、上記係止突起は少なくとも上記防塵防毒フィルター筒に設置されることを特徴とする請求項２に記載の農薬防霧マスク。
【請求項５】
上記防霧フィルター筒の内面と上記防塵防毒フィルター筒の外面がねじ形態に締結されることを特徴とする請求項４に記載の農薬防霧マスク。
【請求項６】
上記防塵防毒フィルター筒を取り囲むように上記マスク本体に締結ガイド管が突出されるように設置され、上記防霧フィルター筒は上記防塵防毒フィルター筒と上記締結ガイド管との間の隙間に強制的に嵌合されることを特徴とする請求項４に記載の農薬防霧マスク。
【請求項７】
上記防霧フィルター筒が上記本体から外方へ行くほど下方を向けるように傾斜して設置されることを特徴とする請求項１に記載の農薬防霧マスク。
【請求項８】
上記防霧フィルター筒の前面に接着テープが通るようにして、上記本体または防塵防毒フィルター筒に上記防霧フィルター筒を付着させることを特徴とする請求項１に記載の農薬防霧マスク。
【請求項９】
上記防霧フィルター筒は瓶の蓋の形状をし、上記防霧フィルター筒の吸気口は上記瓶の蓋の形状の側壁に形成され、上記防霧フィルター筒の吸気口が下側を向けるように上記防霧フィルター筒が上記本体または防塵防毒フィルター筒に締結されることを特徴とする請求項１に記載の農薬防霧マスク。
【発明の詳細な説明】
【技術分野】
【０００１】
本発明は農薬噴霧の時用いるのに適する農薬防霧マスクに関するもので、特に、２重フィルタリングを通じて農薬が人の呼吸器を通じて吸入されないようにし、同時に、フィルターが農薬によく濡れないようにして、マスクの着用時間を延長させることができ、フィルターが農薬に濡れた場合に、容易にフィルターを取り替え及び洗浄することができるようにする農薬防霧マスクに関する。
【背景技術】
【０００２】
農薬防霧マスクは、農薬を散布する農場に粉塵や有毒ガスがあって着用するのではなく、散布者が本人が散布する有害農薬から保護されるために着用することが大部分である。農薬は大部分水に希薄して噴霧し、この噴霧形態の微細な農薬水玉が散布者が吸入する吸入気体に含まれたり、体の表面に付着されて、体に害を与える。
【０００３】
そこで、農薬安全使用指針では、農薬の散布時、マスク、手袋、また防護服を必ず着用するようにしている。手袋と防護服に対しては特に制限がないが、マスクの場合は、単純な綿マスクから頭を完全に包む防毒面まで多様な形態のマスクが使われている。さらには、「農薬を怖がると農業ができない」と言い、マスクを絶対着用しない農夫もいる。マスクを脱いで農薬を散布する農夫は蛮勇を振ったり無識ではなく、既存のマスクの効用性が大きく落ちるから不便でかけないのである。
【０００４】
農薬は有毒ガスと異なり、水玉形態に噴霧されるため、農薬マスクを粉塵や有毒ガス用に使われる一般の防塵防毒マスクとは違う概念に接近しなければならないにもかかわらず、一般の防塵防毒マスクと別段差なしに製造するため、このような非効率性が現れる。
【０００５】
廉価で簡便な面マスク形式の場合、農薬噴霧に容易に濡れて、少しだけ使っても着用及び非着用の差がなくなって、高い防塵防毒マスクの場合にも、最も重要なフィルターが農薬噴霧に簡単に濡れて露出され、実際面マスクと違うところがなくなる。即ち、既存の綿や防塵防毒マスクは乾式−乾燥した粉塵や有毒ガスの用途に適し、湿式−ミスト（ｍｉｓｔ）形態の農薬散布用途には適しない。
【０００６】
図１は従来の防塵防毒マスクを説明するための図面で、図２は図１の防塵防毒フィルター筒２０を説明するための図面である。図１及び図２を参照すれば、マスク本体１４は鼻と口を含む顔面に密着されることができるように辺縁が顔面の形状に沿ってやや折曲があり、弾力のあるゴムまたは合成樹脂で形成される。
【０００７】
本体１４の前面には吸気口１０が形成され、下面には呼気口１２が形成される。吸気口１０の外側には防塵防毒フィルター筒２０が締結され、フィルター筒２０と本体１４との間には頭部紐連結手段２２が介在される。頭部紐連結手段２２の両端には頭部紐２４が延長されるように設置される。
【０００８】
フィルター筒２０は吸気口１０に締結される本体連結部１１とこれを覆う蓋９とを含み、本体連結部１１と蓋９との間には防塵防毒フィルター１３が内在する。蓋９には、吸気の時に空気が吸入される吸気口９ａが形成され、本体連結部１１にはフィルター１３を経た吸入空気が通過する吸気通路１１ａが形成される。
【０００９】
本体連結部１１は本体１４と対向する面に吸気通路１１ａの外周部に沿って係止リング板１６が突出されるように形成され、本体連結部１１の内側には吸気通路１１ａを通じて吸入空気が入る間には本体１４方へ押されて係止リング板１６から離脱されて吸気通路１１ａを開放させ、呼気の時には、吸気通路１１ａの方に押されて係止リング板１６に密着されることによって、吸気通路１１ａを塞ぐ薄いゴム形状の吸気板膜２８が設置される。係止リング板１６は吸気口１０より大きい直径を有し、吸気口１０を開けて係止リング板１６を強制に挿入させて嵌め込むことによって、フィルター筒２０と本体１４との締結が行われる。
【００１０】
上述した従来の防塵防毒マスクは、吸気の時に、吸気口９ａを通じて入って来る農薬噴霧が直ちに防塵防毒フィルター１３に触れるため、農薬散布作業の時、防塵防毒フィルター１３が濡れてしまって、諸機能を発揮することができないで塞がられて、呼吸することさえ困難である。
【００１１】
従って、防塵防毒フィルター１３を直ちに取り替えなければならないが、防塵防毒マスクに使われる防塵防毒フィルター１３は気体及び微細な乾式粒子をろ過するのに用いられるので、構造が非常に緻密で、その価格が非常に高く、取り替え用に複数用意することが費用的に負担になる。
【００１２】
また、取り替えても、使用後にはこれらを洗浄しなければならないため、緻密な組職が損傷されないように洗浄をするためには気をつかなければならなく、頻繁な洗浄はフィルターの寿命を短縮させるため、結局には取り替え用に複数を用意するしかない状況になる。
【００１３】
防塵防毒フィルター１３がひどく濡れると、農薬噴霧が集まって水玉形態に本体１４の内方へ流れて行くため、取り替えないでそのまま使うことはできない。さらに、従来には乾いた粉塵や気体のみを考慮したため、吸気口９ａの位置をあまり考慮しないで、吸気口９ａを図２のように主に前面に設置した。
【００１４】
従って、果樹園のように、木が大きくなって上方へ農薬を散布する場合には、散布者が上側を眺めるため、重力によって落ちる農薬をそのまま飲んでしまい、事実上マスクは無用の物となり、上述したように、一部の農夫はかえってマスクをかけないで農薬を散布するのがかえって楽だと思ってしまう現実に至った。
【発明の概要】
【発明が解決しようとする課題】
【００１５】
従って、本発明が解決しようとする課題は、２重フィルタリングを通じて農薬が人の呼吸器を通じて吸入されないようにし、同時にフィルターが農薬によく濡れないようにして、マスクの着用時間を延長させることができ、フィルターが農薬に濡れた場合、容易にフィルターを取り替え及び洗浄することができ、また、使用者が上側を眺めても農薬が直接マスクの内部に入らないようにする農薬防霧マスクを提供することにある。
【課題を解決するための手段】
【００１６】
上記課題を達するための本発明による農薬防霧マスクは、顔面に着用されて、吸気口と呼気口とを有するマスク本体と；上記吸気口に連結されるように上記マスク本体の吸気口の外側に設置され、内部には防塵防毒フィルターが設置される防塵防毒フィルター筒と；上記防塵防毒フィルター筒に連結されるように上記本体または防塵防毒フィルター筒に分離可能に締結され、防霧フィルターが内部に設置されて、吸気口を有する防霧フィルター筒と；を含むことを特徴とする。
【００１７】
上記吸気口が上記防霧フィルター筒の底面に設置されることが好ましく、上記顔面側から上記吸気口の方へ空気をガイドするように上記吸気口の入口に吸入ガイド手段が設置されることがさらに好ましい。
【００１８】
上記防塵防毒フィルター筒と上記防霧フィルター筒との間に上記防塵防毒フィルターと上記防霧フィルターとの接触を遮断するための係止突起が設置されることが好ましく、この時、上記係止突起は上記防塵防毒フィルター筒及び上記防霧フィルター筒の中の少なくとも一つに設置されることができる。
【００１９】
上記防霧フィルター筒は上記防塵防毒フィルター筒を外側で囲むように締結されることが好ましく、上記係止突起は少なくとも上記防塵防毒フィルター筒に設置されることが好ましい。上記防塵防毒フィルター筒を取り囲むように上記マスク本体に締結ガイド管が突出されるように設置されることができ、上記防霧フィルター筒は上記防塵防毒フィルター筒と上記締結ガイド管との間の隙間に強制的に嵌合される。
【００２０】
上記防霧フィルター筒の内面と上記防塵防毒フィルター筒の外面がねじ形態に締結されることができる。
【００２１】
上記防霧フィルター筒は上記本体から外方へ行くほど下方を向けるように傾斜して設置されることが好ましい。
【００２２】
上記防霧フィルター筒の前面に接着テープが通るようにして、上記防塵防毒フィルター筒に上記防霧フィルター筒を付着させることもできる。
【発明の効果】
【００２３】
本発明によれば、２重フィルタリングを通じて農薬噴霧が人の呼吸器を通じて吸入されないようにし、同時にフィルターが農薬によく濡れないことから、マスクの着用時間を延長させることができ、フィルターが農薬に濡れた場合、容易にフィルターを取り替え及び洗浄することができる。また、使用者が上側を眺めても農薬が直接マスクの内部に入らないようになる。本発明によるマスクは農薬防霧に非常に有用であるので、農薬中毒事故を減少し、農薬人手の拡大供給に寄与する。
【図面の簡単な説明】
【００２４】
【図１】従来の防塵防毒マスクを説明するための図面である。
【図２】図１の防塵防毒フィルター筒２０を説明するための図面である。
【図３】本発明による農薬マスクを説明するための図面である。
【図４】本発明による農薬マスクを説明するための図面である。
【図５】本発明による農薬マスクを説明するための図面である。
【発明を実施するための形態】
【００２５】
以下、本発明の好ましい実施例を添付した図面を参照して詳しく説明する。以下の実施例は本発明の内容を理解するために提示されたもので、当該技術分野において通常の知識を有する者であれば本発明の技術的思想の範囲内で多様な変形が可能である。従って、本発明の権利範囲がこのような実施例に限定されることに解釈されてはいけない。
【００２６】
［第１実施例］
図３は本発明の第１実施例による農薬マスクを説明するための図面である。図３に示すように、マスク本体１１４は鼻と口を含む顔面に密着されることができるように、辺縁が顔面形状に沿ってやや折曲があり、弾力のあるゴムまたは合成樹脂で形成される。マスク本体１１４の前面には吸気口１１０が形成され、下面には呼気口１１２が形成され、吸気口１１０と呼気口１１２には吸気板膜１２８と排気板膜１３８がそれぞれ設置される。
【００２７】
吸気板膜１２８は、吸気の時には、吸入空気によって内方へ押されて吸気口１１０を開放させ、呼気の時には、排出空気によって外方へ押されて吸気口１１０を塞ぐように吸気口１１０の内側に設置される。排気板膜１３８は、吸気の時には、吸入空気によって内方へ押されて呼気口１１２を遮断し、呼気の時には、排出空気によって外方へ押されて呼気口１１２を開放させるように呼気口１１２の外側に設置される。
【００２８】
マスク本体１１４の吸気口１１０の外側には吸気口１１０に連結されるように防塵防毒フィルター筒１２０が設置され、防塵防毒フィルター筒１２０の内部には防塵防毒フィルター１１３が設置される。防霧フィルター筒２２０は防塵防毒フィルター筒１２０に分離可能に締結され、その内部には防霧フィルター２２３が設置され、空気吸入の入口となる吸気口２２０ａを有する。
【００２９】
防霧フィルター２２３は農薬噴霧に直接接するので容易に濡れる。従って、防霧フィルター２２３と防塵防毒フィルター１１３とが緊密に接すれば、防塵防毒フィルター１１３も容易に濡れてしまうことから、防霧フィルター２２３と防塵防毒フィルター１１３との接触を遮断するために、防霧フィルター２２３と防塵防毒フィルター１１３との間に係止突起１２１、２２１が設置される。
【００３０】
防塵防毒フィルター１１３は防霧フィルター２２３を通過する間に乾燥され、気化した農薬残留成分をろ過する役割を果たす。係止突起１２１、２２１は防塵防毒フィルター筒１２０の内部に設置される防塵防毒フィルター係止突起１２１と防霧フィルター筒２２０の内部に設置される防霧フィルター係止突起２２１を含む。吸気口２２０ａと防霧フィルター２２３との間には防霧フィルター２２３が全体的に均一に広げられた状態を保持するようにフィルター支持台２３０が設置され、フィルター支持台２３０には複数の空気通路が形成される。防霧フィルター２２３は係止突起２２１とフィルター支持台２３０との間に広げられた状態で介在される。
【００３１】
係止突起１２１、２２１は二つのフィルター２２３、１１３が互いに接触されることを防止するためのものであるので、必ず２つである必要はなく、何れの１ヶ所に設置されば良い。一方、フィルター係止突起１２１、２２１はフィルター１１３、２２３を固定させる役割も果たす。防霧フィルター筒２２０を分離した時にも、防塵防毒マスクとして用いることができるようにするためには、防霧フィルター筒２２０を分離しても防塵防毒フィルター１１３が防塵防毒フィルター筒１２０から外へ離れ出てはいけない。従って、２つの係止突起１２１、２２１の中の一つのみを設置する場合には、防霧フィルター係止突起２２１より防塵防毒フィルター係止突起１２１が設置されることが好ましい。
【００３２】
このように本発明による農薬防霧マスクは２つのフィルター筒を使うことによって、農薬噴霧の時だけでなく有毒ガスの発生の時に、状況に合わせて使うのに有利である。
【００３３】
防塵防毒フィルター筒１２０を取り囲むようにマスク本体１２０に締結ガイド管１２２が突出されるように設置される。防霧フィルター筒２２０は防塵防霧フィルター筒１２０と締結ガイド管１２２との間の隙間に強制的に嵌合される。
【００３４】
農薬噴霧は微細な水玉で、質量を有するため、重力によって地面に落下しようとする性質を有するので、吸気の時、吸気口２２０ａを通じて農薬噴霧が入る確率を減少するためには、吸気口２２０ａが従来のように防霧フィルター筒２２０の前面に設置されるよりは防霧フィルター筒２２０の底面に設置されることが好ましい。
【００３５】
果樹園のように、木が大きくなって上方へ農薬を散布する場合には、散布者が上側を眺めるため、吸気口２２０ａが図３のように防霧フィルター筒２２０の底面に設置される場合でも農薬噴霧が吸入されることができ、図４のように、吸気口２２０ａの入口に着用者の顔面側から吸気口２２０ａの方へ空気をガイドする吸入ガイド手段２４０が設置されることが好ましい。
【００３６】
図５ｂのように、防霧フィルター筒２２０が上方に向けると、防霧フィルター２２３が濡れた時、農薬噴霧が水玉形態に集まって着用者の顔方へ流れて行くため好ましくなく、従って、図５ａのように、防霧フィルター筒２２０が本体１１４から外方へ行くほど下方を向けるように傾斜して設置されることが好ましい。
【００３７】
防霧フィルター筒２２０は円形の瓶の蓋の形状で、防塵防毒フィルター筒の外側に設置されることができる。防霧フィルター筒２２０の内部に設置される防霧フィルター２２３は防塵防毒フィルター１１３よりは構造が緻密でない。防霧フィルター筒２２０が瓶の蓋の形状である場合には、ねじ形態で回しながら締結されることもでき、接着テープによって付着することもできる。
【００３８】
防霧フィルター筒２２０は瓶の蓋の形状ではあるが、四角形蓋の形状をすることもできる。実際、内部の締結部位が円形である場合には、ねじ形態で回しながら締結されることができるが、内部の締結部位が円形ではない場合には、接着テープなどを利用して固定されることが好ましいことがある。この時、吸気口２２０ａが前ではなく底面に位するので、接着テープを防霧フィルター筒２２０の前面を通るようにして付着させることによって、堅固で、且つ容易に防霧フィルター筒２２０を締結させることができる。
【符号の説明】
【００３９】
１１０：吸気口
１１２：呼気口
１１３：防塵防毒フィルター
１１４：マスク本体
１２０：防塵防毒フィルター筒
１２１、２２１：係止突起
１２２：締結ガイド管
１２８：吸気板膜
１３８：排気板膜
２２０：防霧フィルター筒
２２０ａ：吸気口
２２３：防霧フィルター
２３０：フィルター支持台
２４０：吸入ガイド手段
【図１】
0006018072.tif 000002
【図２】
0006018072.tif 000003
【図３】
0006018072.tif 000004
【図４】
0006018072.tif 000005
【図５（ａ）】
0006018072.tif 000006
【図５（ｂ）】
0006018072.tif 000007